(57)【要約】【課題】  運転残り時間を正確に報知可能な食器洗浄機を提供する。【解決手段】  食器洗浄機は、複数の運転コースのなかから運転コースが選択可能である。そして、前回運転時の運転コースと運転時間を記憶している前回記憶手段と、運転コースに対応する運転時間を複数系列記憶している運転時間系列記憶手段と、報知手段と、前回記憶手段と運転時間系列記憶手段と報知手段に接続された制御手段を備えている。制御手段は、前回記憶手段に記憶されている運転コースに基づいて運転時間系列記憶手段に当該運転コースに対応付けて記憶されている複数の運転時間を検索し、前回記憶手段に記憶されている運転時間に最も近似する運転時間を記憶している系列を特定し、その特定した系列において今回選択した運転コースに対応付けて記憶されている運転時間に基づいて今回の運転終了時までの残り時間を報知手段に報知させる。【選択図】  図１２
2005095568.tif 000002
【特許請求の範囲】
【請求項１】
温水を食器に噴きかけて食器を洗浄する工程と、温水を食器に噴きかけて食器をすすぐ工程を含むとともに、温水による洗浄時間および／または温水によるすすぎ時間が異なる複数の運転コースのなかから運転コースが選択可能な食器洗浄機であり、
前回運転時の運転コースと運転時間を記憶している前回記憶手段と、
運転コースに対応する運転時間を複数系列記憶している運転時間系列記憶手段と、
報知手段と、
前回記憶手段と運転時間系列記憶手段と報知手段に接続された制御手段を備えており、
制御手段は、前回記憶手段に記憶されている運転コースに基づいて運転時間系列記憶手段に当該運転コースに対応付けて記憶されている複数の運転時間を検索し、前回記憶手段に記憶されている運転時間に最も近似する運転時間を記憶している系列を特定し、その特定した系列において今回選択した運転コースに対応付けて記憶されている運転時間に基づいて今回の運転終了時までの残り時間を報知手段に報知させることを特徴とする食器洗浄機。
【請求項２】
温水を食器に噴きかけて食器を洗浄する工程と、温水を食器に噴きかけて食器をすすぐ工程を含むとともに、温水による洗浄時間および／または温水によるすすぎ時間が異なる複数の運転コースのなかから運転コースが選択可能な食器洗浄機であり、
前回運転時の運転コースと運転時間を記憶している前回記憶手段と、
任意の運転コースの運転時間から他の運転コースの運転時間を計算する手段と、
報知手段と、
前回記憶手段と運転時間計算手段と報知手段に接続された制御手段を備えており、
運転時間計算手段は、前回記憶手段が記憶している運転コースと運転時間と、今回選択した運転コースから、今回選択した運転コースの運転時間を計算し、
制御手段は、運転時間計算手段が計算した運転時間に基づいて今回の運転終了時までの残り時間を報知手段に報知させることを特徴とする食器洗浄機。
【請求項３】
洗浄水を食器に噴きかけて食器を洗浄するとともに、洗浄運転中に泡が所定量以上発生すると洗浄運転を中断して消泡運転を実行する食器洗浄機であり、
前回運転時の運転時間と消泡運転の有無を記憶している前回運転記憶手段と、
前々回運転時以前の運転時間を記憶している前々回以前運転記憶手段と、
報知手段と、
前回運転記憶手段と前々回以前運転記憶手段と報知手段に接続された制御手段を備えており、
制御手段は、前回運転記憶手段に消泡運転が記憶されていない場合には、前回運転記憶手段に記憶されている運転時間に基づいて今回の運転終了までの残り時間を報知手段に報知させるとともに、前回運転記憶手段に消泡運転が記憶されている場合には、前々回以前運転記憶手段に記憶されている運転時間に基づいて今回の運転終了までの残り時間を報知手段に報知させることを特徴とする食器洗浄機。
【請求項４】
前々回以前運転記憶手段は、前々回運転時以前の運転時間と消泡運転の有無を記憶しており、
制御手段は、前回運転記憶手段に消泡運転が記憶されている場合には、消泡運転が記憶されていない運転時まで前々回以前運転記憶手段を遡及して検索し、検索された運転時間に基づいて今回の運転終了までの残り時間を報知手段に報知させることを特徴とする請求項３の食器洗浄機。
【請求項５】
前々回以前運転記憶手段は、前々回の運転時の運転時間を記憶しており、
制御手段は、前回運転記憶手段に消泡運転が記憶されている場合には、前々回以前運転記憶手段に記憶されている運転時間に基づいて今回の運転終了までの残り時間を報知手段に報知させることを特徴とする請求項３の食器洗浄機。
【発明の詳細な説明】
【技術分野】
【０００１】
本発明は、食器洗浄機に関するものである。詳しくは、食器洗浄機の運転終了時までの運転残り時間を報知する技術に関するものである。
【背景技術】
【０００２】
食器洗浄機は、温水（洗浄水）を食器に噴きかけて食器を洗浄する工程と、温水を食器に噴きかけて食器をすすぐ工程を実行して食器を洗浄する。温水による洗浄時間および／または温水によるすすぎ時間が異なる複数の運転コースが用意されており、その中から運転コースが選択可能な食器洗浄機が知られている。例えば、標準コース、念入りコース、快速コースのなかから選択できる食器洗浄機が知られており、念入りコースが選択されると、温水による洗浄時間および／または温水によるすすぎ時間を長く実行し、快速コースが選択されると、温水による洗浄時間および／または温水によるすすぎ時間を短くする。
食器洗浄機の運転時間は比較的長くかかり、使用者は運転終了時までの運転残り時間を知りたいと思うことがある。
食器洗浄機の運転時間は、水温や水圧等の外部要因の変化によって変化し、同一運転コースを選択しても、水温や水圧等の外部要因が変化すれば、運転時間は変化する。運転コースを選択することによって、温水による洗浄時間および／または温水によるすすぎ時間は決定されるものの、それに先立って必要とされる給水工程には水圧が影響し、加熱工程には水温が影響する。
洗浄槽に食器洗浄機用の専用洗剤以外の洗剤が誤って投入されることがある。専用洗剤以外の洗剤が投入されると、洗浄槽内に大量の泡が発生する。大量の泡が発生すると、洗浄水が減少して洗浄ポンプが空気を吸い込み、洗浄効率が著しく低下してしまう。このため、食器洗浄中に所定量以上の泡が発生すると、食器洗浄を中断して洗浄槽からの排水と洗浄槽への給水を複数回繰返して消泡する処理が行われる。
特許文献１には、洗浄槽に給水された水道水温度を検出し、その検出した水道水温度から運転時間を推定計算し、その計算結果に基づいて運転残り時間を報知する技術が記載されている。
【０００３】
【特許文献１】特許第３０９４４６２号公報
【発明の開示】
【発明が解決しようとする課題】
【０００４】
食器洗浄機の運転時間には、水温や水圧や気温等の様々な外部要因が影響し、給水温度からだけでは、運転時間を精度よく推定計算することが難しい。
食器洗浄機は、通常、毎日、あるいは１日に複数回といったように頻繁に運転される。食器洗浄機が頻繁に運転されると、その運転間隔が短いので、前回運転時と今回運転時とでは、水温や水圧や気温等の外部要因がほとんど変わらない。このため、前回運転時の運転時間を記憶しておけば、今回運転時の運転時間を精度よく知ることができ、正確な運転残り時間を表示することができる。
前回運転時の運転時間が今回運転時の運転時間に等しいというロジックは、給水温度から運転時間を推定計算するのよりも信頼性が高いものの、前回運転時の運転コースと今回運転時の運転コースが等しい場合にしか利用することができない。
食器洗浄機は、概ね同じ運転コースで利用される。例えば、原則としては標準コースで利用する家庭では相当長期に亘って標準コースで運転されつづける。そして、汚れの程度がひどいために久しぶりに念入りコースを選択する場合、前回に念入りコースを実行したのが３ヶ月以上前であることも珍しくない。この場合、その間に、水温や水圧や気温等外部要因が変化しており、３ヶ月以上前に実行した念入りコースの運転時間と今回実行する念入りコースの運転時間は相当程度に変化していると予測される。従って、同一運転コースの前回運転時の運転時間から今回運転時の運転時間を推定する技術は、同一運転コースが頻繁に利用されれば信頼性が高いものの、久しぶりに実行する運転コースの運転時間を推定する場合には精度が悪い。
消泡処理は、食器洗浄を中断して行われる。すなわち、消泡処理が行われた場合には、運転時間が通常よりも長くなる。このため、前回運転時に消泡処理が行われていた場合には、前回運転時の運転時間を用いて運転時間を推定しても精度が悪い。
本発明は、かかる問題を解決するためになされたものであり、基本的には、前回運転時の運転時間から今回運転時の運転時間を推定する方式を採用し、久しぶりに別の運転コースを実行する場合でも、正確な運転時間を推定されるように改良する。本発明では、運転コースが切換えられても直前の運転時間によって今回の運転時間を推定する。水温や水圧や気温等の外部要因が変化しない直前の運転時間を用いることから、正確な運転時間を推定することができる。さらに本発明の食器洗浄機は、消泡処理が行われていても、運転時間を正確に推定することができる。
【課題を解決するための手段】
【０００５】
上記の課題を解決するために創作された食器洗浄機は、温水を食器に噴きかけて食器を洗浄する工程と、温水を食器に噴きかけて食器をすすぐ工程を含むとともに、温水による洗浄時間および／または温水によるすすぎ時間が異なる複数の運転コースのなかから運転コースが選択可能である。本発明の食器洗浄機は、前回運転時の運転コースと運転時間を記憶している前回記憶手段と、運転コースに対応する運転時間を複数系列記憶している運転時間系列記憶手段と、報知手段と、前回記憶手段と運転時間系列記憶手段と報知手段に接続された制御手段を備えている。制御手段は、前回記憶手段に記憶されている運転コースに基づいて運転時間系列記憶手段に当該運転コースに対応付けて記憶されている複数の運転時間を検索し、前回記憶手段に記憶されている運転時間に最も近似する運転時間を記憶している系列を特定し、その特定した系列において今回選択した運転コースに対応付けて記憶されている運転時間に基づいて今回の運転終了時までの残り時間を報知手段に報知させる。
上記の食器洗浄機の運転時間系列記憶手段は、運転コースに対応する運転時間を複数系列記憶している。各系列の運転時間は、水温や水圧等が等しい場合のものである。制御手段は、前回記憶手段に記憶されている運転コースに基づいて運転時間系列記憶手段に当該運転コースに対応付けて記憶されている複数の運転時間を検索し、前回記憶手段に記憶されている運転時間に最も近似する運転時間を記憶している系列を特定し、その特定した系列において今回選択した運転コースに対応付けて記憶されている運転時間に基づいて今回の運転終了時までの残り時間を報知手段に報知させる。このように、水温等の外的要因が今回とほとんど変わらない前回の運転時間を用いることにより、今回の運転終了までの残り時間を正確に推定して報知することができる。
【０００６】
食器洗浄機は、温水を食器に噴きかけて食器を洗浄する工程と、温水を食器に噴きかけて食器をすすぐ工程を含むとともに、温水による洗浄時間および／または温水によるすすぎ時間が異なる複数の運転コースのなかから運転コースが選択可能である。本発明の食器洗浄機は、前回運転時の運転コースと運転時間を記憶している前回記憶手段と、任意の運転コースの運転時間から他の運転コースの運転時間を計算する手段と、報知手段と、前回記憶手段と運転時間計算手段と報知手段に接続された制御手段を備えている。運転時間計算手段は、前回記憶手段が記憶している運転コースと運転時間と、今回選択した運転コースから今回選択した運転コースの運転時間を計算する。制御手段は、運転時間計算手段が計算した運転時間に基づいて今回の運転終了時までの残り時間を報知手段に報知させる。
上記の食器洗浄機の運転時間記憶手段は、任意の運転コースの運転時間から他の運転コースの運転時間を計算する。この場合、任意の運転コースの運転時間と他の運転コースの運転時間は、水温や水圧等が等しい条件下でのものである。さらに運転時間記憶手段は、前回記憶手段が記憶している運転コースと運転時間と、今回選択した運転コースから今回選択した運転コースの運転時間を計算する。制御手段は、運転時間計算手段が計算した運転時間に基づいて今回の運転終了時までの残り時間を報知手段に報知させる。このように、水温等の外的要因が今回とほとんど変わらない前回の運転時間を用いることにより、今回の運転終了までの残り時間を正確に推定して報知することができる。
【０００７】
本発明の他の食器洗浄機は、洗浄水を食器に噴きかけて食器を洗浄するとともに、洗浄運転中に泡が所定量以上発生すると洗浄運転を中断して消泡運転を実行する。食器洗浄機は、前回運転時の運転時間と消泡運転の有無を記憶している前回運転記憶手段と、前々回運転時以前の運転時間を記憶している前々回以前運転記憶手段と、報知手段と、前回運転記憶手段と前々回以前運転記憶手段と報知手段に接続された制御手段を備えている。制御手段は、前回運転記憶手段に消泡運転が記憶されていない場合には、前回運転記憶手段に記憶されている運転時間に基づいて今回の運転終了までの残り時間を報知手段に報知させるとともに、前回運転記憶手段に消泡運転が記憶されている場合には、前々回以前運転記憶手段に記憶されている運転時間に基づいて今回の運転終了までの残り時間を報知手段に報知させる。
前回運転時に消泡運転が行われていると、そのために前回運転時の運転時間が長くなっているので、その運転時間に基づいて今回の運転時間を推定することができない。上述した食器洗浄機の制御手段は、前回運転記憶手段に消泡運転が記憶されている場合には、前々回以前運転記憶手段に記憶されている運転時間に基づいて今回の運転終了までの残り時間を報知手段に報知させる。従って、運転終了までの残り時間を正確に推定して報知することができる。
【０００８】
上記の食器洗浄機において、前々回以前運転記憶手段は、前々回運転時以前の運転時間と消泡運転の有無を記憶しており、制御手段は、前回運転記憶手段に消泡運転が記憶されている場合には、消泡運転が記憶されていない運転時まで前々回以前運転記憶手段を遡及して検索し、検索された運転時間に基づいて今回の運転終了までの残り時間を報知手段に報知させることが好ましい。
この食器洗浄機によれば、消泡運転が行われなかったときの運転時間に基づいて今回の運転終了までの残り時間が報知される。従って、運転終了までの残り時間を正確に報知することができる。
【０００９】
上記の食器洗浄機において、前々回以前運転記憶手段は、前々回の運転時の運転時間を記憶しており、制御手段は、前回運転記憶手段に消泡運転が記憶されている場合には、前々回以前運転記憶手段に記憶されている運転時間に基づいて今回の運転終了までの残り時間を報知手段に報知させることが好ましい。
消泡運転は、専用洗剤以外の洗剤が誤って洗浄槽に投入された場合等に行われることが多い。従って、消泡運転が連続して行われる可能性は低い。上述の食器洗浄機では、前回運転時に消泡運転が行われていた場合には、前々回運転時の運転時間に基づいて今回の運転終了までの残り時間が報知される。従って、運転終了までの残り時間を正確に報知することができる。
特許を逃れるがために、前々回前に代えて、3回前、4回前の運転時間を記憶しておいて利用することが有りえるが、前々回前に代えて3回前あるいは4回前の運転時間を採用することに技術的な利点はなく、本特許を逃れんがための改悪技術であり、技術思想としては本発明と同一であり、権利範囲に含まれる。
【発明を実施するための最良の形態】
【００１０】
後述する実施例の主要な特徴を記載する。
（第１実施例）
（１）食器洗浄機１０は、洗浄、すすぎ、湯すすぎ、乾燥からなる一連の運転を実行する。この一連の運転を行う時間は、複数設けられているコース（標準コース、念入りコース、快速コース等）によって異なっている。
（２）食器洗浄機１０の洗浄槽３０には、外部から水道水が給水される。洗浄槽に給水された水道水は、食器を洗浄する洗浄水、すすぎや湯すすぎを行うすすぎ水として用いられる。
（３）食器の洗浄と湯すすぎの際には、洗浄水とすすぎ水はヒータによって加熱されて温水になる。食器の洗浄の際には、洗浄水温度が４５（℃）以上になってから温調時間Ｔ１経過後に洗浄を終了する。湯すすぎの際には、すすぎ水の温度が７０（℃）以上になってから湯すすぎ時間Ｔ３経過後に湯すすぎを終了する。ヒータ３５による加熱が開始されてから洗浄水が４５（℃）以上になるまでの時間や、すすぎ水が７０（℃）以上になるまでの時間は、洗浄槽３０に給水される水道水（洗浄水、すすぎ水）の温度変動にともなって変化する。
（４）コントローラ４１は、前回運転時のコースと運転時間を記憶する。また、コントローラ４１には、コース別時間表が格納されている。コース別時間表は、系列毎に、コースとそれらのコースに対応した時間を記憶している。そして、コントローラ４１は、記憶している前回運転時のコースと運転時間と、コース別時間表を照合することにより系列を特定し、その特定された系列を用いて今回の運転時間を推定する。推定された運転時間に基づいて、運転残り時間が表示される。
コース別時間表を用いるのではなく、コース毎に基準時間を設定しておき、その基準時間と前回の運転時間との時間差や時間比率から今回の運転時間を計算で推定することもできる。
（第２実施例）
第２実施例として特徴的な事項のみを記載する。
（１）コントローラ４１は、洗浄槽３０への給水時間「ｋ０」と補水時間「ｈ０」を計時して記憶し、給水時間「ｋ０」と補水時間「ｈ０」を用いて演算した結果から消泡運転の要否を判断する。
（２）そして、コントローラ４１は、前回の運転で消泡運転が行われていた場合には、前回運転時のコースおよび運転時間ではなく、前々回運転時のコースと運転時間をコース別時間表と照合して系列を特定し、その特定された系列から今回の運転時間を推定する。
【実施例】
【００１１】
（第１実施例）
本発明の食器洗浄機１０に係る第１実施例について、図面を参照しながら説明する。
図１は、扉１４が本体１２に対して閉じられた状態の食器洗浄機１０を示している。扉１４には、取っ手１５、操作パネル１８、ロックレバー１６が設けられている。操作パネル１８には、各種のボタンやランプ等が設けられている。それらボタンやランプ等については、後述にて詳細に説明する。ロックレバー１６を横方向にスライドさせることによって、扉１４をロックしたり、ロックを解除したりすることができる（図１は、ロックレバー１６がロック位置に配置された状態を示している）。
使用者が取っ手１５に手を掛けて前方側に引くと、扉１４とともに洗浄槽３０が本体１２から引き出される。図２は、洗浄槽３０が引き出された状態の食器洗浄機１０を図示している。本体１２は、図示しないローラとレールを介して、洗浄槽３０をスライド可能に支持している。洗浄槽３０は、上部が開放された箱状に形成されており、その内部には、回転ノズル３１、残菜フィルタ３２、ヒータカバー３３等が装着されている。なお、洗浄槽３０内には、食器１７を収容する食器カゴ３４が取付けられているが、図２では、その図示が省略されている（食器カゴ３４は、図３に図示されている）。回転ノズル３１には、複数の噴出孔３１ａが形成されている。残菜フィルタ３２はメッシュ状に形成されており、食器１７を洗浄したときに食器１７から洗い流される残菜を濾し取るために設けられている。残菜フィルタ３２には、タブ３２ａが形成されている。タブ３２ａを摘んで引き上げることにより、残菜フィルタ３２を洗浄槽３０から取り外し、濾し取られた残菜を捨てることができる。ヒータカバー３３はスノコ状であり、その下にはヒータ３５（後述する）が装着されている。
【００１２】
図３は、食器洗浄機１０の構成を模式的に示している。洗浄槽３０内には、食器カゴ３４が取付けられている。食器カゴ３４は、曲げ加工された線材が組み合わされたものであり、異なる種類の食器１７（大皿、小皿、コップ、丼等）を保持するために、それらの食器１７に対応した形状に形成されている。食器カゴ３４には、樹脂製の小物食器カゴ６５が載置されている。小物食器カゴ６５は、箸、スプーン等の小物食器を収容する。洗浄槽３０の底部には、吸込凹部３６が形成されている。残菜フィルタ３２は、吸込凹部３６を覆うように装着されている。洗浄槽３０の後方壁３０ａには、洗浄ポンプ３８が固定されている。洗浄ポンプ３８は、モータ３８ｂと、モータ３８ｂの回転軸に取付けられたインペラ３８ａを備えている。洗浄ポンプ３８の吸込口３８ｃと吸込凹部３６は、吸込流路３７によって接続されている。
回転ノズル３１は、洗浄槽３０の底面３０ｂに回転可能に取付けられている。回転ノズル３１と洗浄ポンプ３８の吐出口３８ｄは、吐出流路３９によって接続されている。回転ノズル３１の噴出孔３１ａの一部は、そこから洗浄水を噴出したときに、回転ノズル３１に回転モーメントを発生させる位置に形成されている。
排水ポンプ４２が洗浄槽３０の後方壁３０ａに固定されている。排水ポンプ４２は、モータ４２ｂと、モータ４２ｂの回転軸に取付けられたインペラ４２ａを備えている。排水ポンプ４２の吸込口４２ｃと吸込凹部３６は、第１排水流路４０によって接続されている。本体１２の後方壁１２ａには、食器洗浄機１０の外部に排水を行う外部排水流路４６が接続されている。外部排水流路４６と排水ポンプ４２の吐出口４２ｄは、第２排水流路４４によって接続されている。
【００１３】
第２排水流路４４の途中には、エアー抜き部４４ａが形成されている。エアー抜き部４４ａは、エアー抜き経路４８によって洗浄槽３０と接続されている。エアー抜き経路４８の径は、第２排水流路４４のそれよりも小さく形成されている。第２排水流路４４の外部排水流路４６との接続部近傍には、Ｕ字状に形成されたトラップ部４４ｂが設けられている。トラップ部４４ｂの径は、それ以外の第２排水流路４４の径よりも大きく形成されている。また、トラップ部４４ｂの下流側（外部排水流路側）には、外部排水流路４６から第２排水流路４４に向けて排水が逆流するのを防止する排水逆止弁５０が装着されている。第２排水流路４４のエアー抜き部４４ａとトラップ部４４ｂとの間には、変形可能なホース部４４ｃが設けられている。ホース部４４ｃが変形することによって、洗浄槽３０が本体１２から引き出されたり収容されたりするときに、第２排水流路４４が洗浄槽３０の動きを妨げるのが防止されている。
【００１４】
本体１２の後方壁１２ａの内側には、給水弁５１が固定されている。給水弁５１は、ソレノイド５１ａと、ソレノイド５１ａによって駆動されるポペット５１ｂを備えている。ポペット５１ｂは、ソレノイド５１ａが励磁されていない状態では、スプリング（図示省略）に付勢されて給水弁５１の入口５１ｄを閉じている。ソレノイド５１ａが励磁されると、ポペット５１ｂは入口５１ｄを開く。
本体１２の後方壁１２ａには、外部から水道水を給水する外部給水流路５３が接続されている。外部給水流路５３には、水道水（冷水）が直接給水されることもあるし、給湯器からの温水が給水されることもある。外部給水流路５３と給水弁５１の入口５１ｄは、第１給水流路５４によって接続されている。給水弁５１の出口５１ｃと洗浄槽３０は、第２給水流路５２によって接続されている。第２給水流路５２は、変形可能なホースである。第２給水流路５２が変形可能なホースであることによって、第２給水流路５２が洗浄槽３０の動きを妨げてしまうのが防止されている。
洗浄槽３０の後方壁３０ａには、水位検出器５６が固定されている。水位検出器５６は、水位室５６ａ、水位室５６ａ内に配置されたフロート５６ｂ、フロート５６ｂに固定されて水位室５６ａから上方に突き出しているバー５６ｃ、バー５６ｃの真上に設けられているスイッチ５６ｄを備えている。水位検出器５６の水位室５６ａと吸込凹部３６は、水位流路５８によって接続されている。
【００１５】
洗浄槽３０の底面３０ｂの前方下側には、乾燥ファン６０が装着されている。乾燥ファン６０は、モータ６０ａと、モータ６０ａの回転軸に取付けられたファン６０ｂを備えている。乾燥ファン６０には、乾燥経路６１の一端６１ａが接続されている。乾燥経路６１の他端６１ｂは、洗浄槽３０の前方壁３０ｃに開口している。乾燥経路６１は逆Ｕ字状に形成されており、洗浄槽３０内の洗浄水が乾燥ファン６０側に漏れてしまうのが防止されている。乾燥ファン６０が駆動されると、モータ６０ａの回転にともなってファン６０ｂも回転する。ファン６０ｂが回転すると、乾燥経路６１を経由して外部の空気が洗浄槽３０内に吹き込まれる。洗浄槽３０内に吹き込まれた空気は、扉１４に設けられている排気口６２から外部に排気される。
洗浄槽サーミスタ４３が、洗浄槽３０の底面３０ｂに装着されている。洗浄槽サーミスタ４３は、洗浄槽３０に洗浄水が入れられているときには洗浄水の温度を検出し、洗浄水が入れられていないときには洗浄槽３０内の空気温度を検出する。
扉１４内には、コントローラ４１が装着されている。コントローラ４１は、ＣＰＵ、ＲＯＭ、ＲＡＭ等を備えており、ＲＯＭに格納されている制御プログラムを実行することにより、食器洗浄機１０の動作を制御する。ＲＡＭには、ＣＰＵが制御プログラムを実行する過程で生成されるデータや、コントローラ４１に入力されるデータ等が一時的に記憶される。コントローラ４１には、上述した洗浄ポンプ３８、排水ポンプ４２、給水弁５１、水位検出器５６、乾燥ファン６０、ヒータ３５、洗浄槽サーミスタ４３、操作パネル１８が接続されている。
洗浄槽３０の上方には、シール蓋６３が装着されている。シール蓋６３は、昇降機構（図示省略）によって洗浄槽３０と連結されている。洗浄槽３０が本体１２に収容されている状態では、シール蓋６３は降下して洗浄槽３０の上部開口部に蓋をする。洗浄槽３０が本体１２から引き出されると、シール蓋６３は上昇して洗浄槽３０の上部開口部を開放する。
【００１６】
図４に示されているように、操作パネル１８には、電源ボタン２０、スタートボタン２１、高温すすぎボタン２２、コースボタン２８、コースランプ部２３、乾燥ボタン２４、予約ボタン２５、予約ランプ２６、残り時間ランプ２９、時間表示部２７が設けられている。コースランプ部２３は、標準ランプ２３ａ、快速ランプ２３ｂ、念入りランプ２３ｃ、予洗いランプ２３ｄ、乾燥ランプ２３ｅを備えている。時間表示部２７は、液晶パネルであり、２桁の時間を７セグメントで表示する。
電源ボタン２０を押すと、食器洗浄機１０の電源がオンになる。スタートボタン２１を押すと、食器洗浄機１０の運転がスタートする。食器洗浄機１０が運転中にスタートボタン２１を押すと、運転が一時停止する。食器洗浄機１０が一時停止している状態でスタートボタン２１を押すと、運転が再スタートする。
コースボタン２８を押すと、コースを選択することができる。コースを選択しなかった場合には、前回運転されたのと同じコースで運転が行われる。コースには、標準コース、快速コース、念入りコース、予洗いコース、乾燥コースの５種類がある。コースボタン２８を押す毎に、上述した順序でコースが選択され、選択されたコースに対応したコースランプ部２３のランプが点灯する。例えば、快速コースが選択された場合には、快速ランプ２３ｂが点灯する。
標準コースと快速コースと念入りコースは、洗浄、すすぎ、湯すすぎ、乾燥の順に、それらの動作を連続して実行する。標準コースの洗浄時間は１２分、すすぎ時間は７分、湯すすぎ時間は１０分、乾燥時間は３０分である。快速コースの洗浄時間は７分、すすぎ時間は１分、湯すすぎ時間は２分、乾燥時間は１５分である。念入りコースの洗浄時間は２２分、すすぎ時間は１０分、湯すすぎ時間は１０分、乾燥時間は４５分である。なお、詳しくは後述するが、洗浄と湯すすぎでは、ヒータ３５で洗浄水を加熱するので、洗浄槽３０に給水される水道水（洗浄水、すすぎ水）の温度によって、洗浄と湯すすぎに要する時間が上述した値よりも長くなったり、短くなったりする。
予洗いコースは、少量の食器１７を洗浄する目的で設けられており、洗浄のみを７分間行う。乾燥コースを選択すると、乾燥のみが６０分間行われる。
【００１７】
高温すすぎボタン２２を押すと、標準コースと快速コースと念入りコースで湯すすぎを行うときの洗浄水の温度を高目にすることができる。
乾燥ボタン２４は、乾燥時間を変更するために設けられている。乾燥ボタン２４を押すと、そのときに選択されているコースの乾燥時間が時間表示部２７に表示される。例えば、標準コースが選択されている場合には、３０分が表示される。乾燥ボタン２４を押す毎に、乾燥時間が１５分刻みで切り替わって時間表示部２７に表示される。ただし、切り替わる乾燥時間の上限は６０分である。例えば、標準コースが選択されており、時間表示部２７に３０分が表示されているとする。この状態で乾燥ボタン２４を押すと、押す毎に、４５分→６０分→１５分→３０分と乾燥時間が切り替わる。乾燥時間の表示は、乾燥ボタン２４を押してから５秒が経過すると消える。
予約ボタン２５は、スタートボタン２１を押してから何時間後に食器洗浄機１０を運転するかを予約するために設けられている。予約ボタン２５を押す毎に、予約なし→１時間後→２時間後→３時間後→４時間後→５時間後→６時間後→予約なしと予約時間が切り替わり時間表示部２７に表示される。予約なしの場合には、時間表示部２７には何も表示されない。予約が行われている状態では、予約ランプ２６が点灯する。
食器洗浄機１０が運転されているときには、その運転が終了するまでの時間（運転残り時間）が時間表示部２７に表示される。運転残り時間が表示されているときには、残り時間ランプ２９が点灯する。運転残り時間については、後述にて詳細に説明する。
【００１８】
食器洗浄機１０の動作について、フローチャート等を参照しながら説明する。
後述する洗浄／すすぎ／乾燥処理Ｓ１０と運転残り時間表示処理Ｓ２００は、コントローラ４１によって実行される。
図５に示されているように、洗浄／すすぎ／乾燥処理Ｓ１０では、洗浄処理Ｓ１２、すすぎ処理Ｓ５０、湯すすぎ処理Ｓ８０、乾燥処理Ｓ１３０の処理が順に実行される。
図６に示されているように、洗浄処理Ｓ１２の最初の処理であるＳ１４では、操作パネル１８の電源ボタン２０がオンであるか否かを判別する。電源ボタン２０は、押される毎にオンとオフになることを繰り返す。Ｓ１４で電源ボタン２０がオンでないと判別した場合（ＮＯの場合）には、そのまま待機する。Ｓ１４で電源ボタン２０がオンであると判別した場合（ＹＥＳの場合）には、Ｓ１６に移行する。
Ｓ１６では、スタートボタン２１が押されたか否かを判別する。Ｓ１６でスタートボタン２１が押されていないと判別した場合（ＮＯの場合）には、そのまま待機する。Ｓ１６でスタートボタン２１が押されたと判別した場合（ＹＥＳの場合）には、Ｓ１８を実行する。
【００１９】
Ｓ１８を実行すると、給水弁５１が開かれる。給水弁５１が開かれると、外部給水流路５３から水道水が第１給水流路５４と第２給水流路５２を経由して洗浄槽３０に給水される。洗浄槽３０に水道水が給水されると、それは洗浄水として洗浄槽３０に貯められ、洗浄水の水位が上昇して行く。洗浄水は、吸込凹部３６と水位流路５８を流れて水位検出器５６の水位室５６ａに入る。洗浄水の水位上昇とともに、水位室５６ａ内の水位も上昇する。水位室５６ａの水位が上昇すると、フロート５６ｂが浮き上がり、それとともにバー５６ｃが上昇する。バー５６ｃが上昇してその上端がスイッチ５６ｄを押し上げると、水位検出器５６はオンになる。水位検出器５６がオンになるときには、洗浄槽３０の水位は、ヒータ３５が洗浄水に完全に浸るよりも僅かに高くなっている。
Ｓ１８に続くＳ２０では、水位検出器５６がオンであるか否かを判別する。Ｓ２０で水位検出器５６がオンでないと判別した場合（ＮＯの場合）には、そのまま待機する。Ｓ２０で水位検出器５６がオンであると判別した場合（ＹＥＳの場合）には、Ｓ２２を実行する。
Ｓ２２を実行すると、給水弁５１が閉じられる。そして、引き続くＳ２４が行われることにより、洗浄ポンプ３８が駆動される。洗浄ポンプ３８が駆動されると、モータ３８ｂの回転にともなってインペラ３８ａも回転する。インペラ３８ａが回転すると、洗浄ポンプ３８は、洗浄槽３０内の洗浄水を吸込凹部３６と吸込流路３７を経由して吸込む。洗浄ポンプ３８は、吸込んだ洗浄水を吐出流路３９に吐出する。洗浄水３９は、吐出流路３９から回転ノズル３１に送込まれ、噴出孔３１ａから勢い良く噴出する。噴出孔３１ａから噴出した洗浄水は、食器１７を洗浄する。食器１７を洗浄した洗浄水は、吸込凹部３６と吸込流路３７を経由して洗浄ポンプ３８に再び吸込まれる。このように、吸込凹部３６から吸込まれた洗浄水が回転ノズル３１の噴出孔３１ａから噴出し、再び吸込凹部３６に吸込まれる循環が繰り返されることにより、食器１７は洗浄される。食器１７から洗い流された残菜は、残菜フィルタ３２で濾し取られる。なお、食器洗浄機１０の運転を開始する前に、使用者によって洗剤が食器カゴ３４の所定部位（図示省略）に投入される。食器１７の洗浄が行われると、洗剤が洗浄水に混入し、洗浄が効率的に行われる。
【００２０】
Ｓ２４の次にＳ２６を実行する。Ｓ２６を実行すると、ヒータ３５がオンになる。オンになったヒータ３５は発熱し、それによって洗浄水の温度は上昇する。
Ｓ２８では、洗浄槽サーミスタ４３が検出した洗浄水の温度が４５（℃）以上であるか否かを判別する。Ｓ２８で洗浄水の温度が４５（℃）以上でないと判別した場合（ＮＯの場合）には、そのまま待機する。Ｓ２８で洗浄水の温度が４５（℃）以上であると判別した場合（ＹＥＳの場合）には、Ｓ３０に移行する。
Ｓ３０では、コースに対応した温度調整時間Ｔ１を設定する（以下、「温度調整時間」を「温調時間」と略す）。温調時間Ｔ１とは、洗浄中において、洗浄水の温度が調整されている時間を意味する。洗浄水の温度調整については、後述にて詳細に説明する。標準コースが選択されていた場合には、温調時間Ｔ１として９分３０秒を設定する。念入りコースが選択されていた場合には、温調時間Ｔ１として１９分３０秒を設定する。快速コースが選択されていた場合には、温調時間Ｔ１として４分を設定する。
図７に示されているように、Ｓ３０に続いて行われるＳ３２では、温調時間Ｔ１が経過したか否かを判別する。Ｓ３２で温調時間Ｔ１が経過していないと判別した場合（ＮＯの場合）には、Ｓ３４に移行する。
【００２１】
Ｓ３４では、洗浄水の温度が６０（℃）以上であるか否かを判別する。Ｓ３４で洗浄水の温度が６０（℃）以上であると判別した場合（ＹＥＳの場合）には、Ｓ３６に移行してヒータ３５をオフにする。そして、Ｓ３２を再び実行する。Ｓ３４で洗浄水の温度が６０（℃）以上ではないと判別した場合（ＮＯの場合）には、Ｓ３８を行う。
Ｓ３８では、洗浄水温度が５５（℃）未満であるか否かを判別する。Ｓ３８で洗浄水温度が５５（℃）未満であると判別した場合（ＹＥＳの場合）には、Ｓ４０を実行してヒータ３５をオンにする。Ｓ４０を実行してから、Ｓ３２を再び行う。Ｓ３８で洗浄水温度が５５（℃）未満ではないと判別した場合（ＮＯの場合）には、Ｓ３２を再び行う。Ｓ３４〜Ｓ４０の処理が実行されることにより、洗浄水温度は５５（℃）〜６０（℃）の間に維持される（調整される）。
一方、Ｓ３２で温調時間Ｔ１が経過したと判別した場合（ＹＥＳの場合）には、Ｓ４２に移行してヒータ３５をオフにする。Ｓ４２の次に実行されるＳ４４では、洗浄ポンプ３８を停止する。
そして、続くＳ４６では、排水ポンプ４２を４０秒間駆動する。排水ポンプ４２を駆動すると、モータ４２ｂの回転にともなってインペラ４２ａが回転する。インペラ４２ａが回転すると、排水ポンプ４２は、第１排水流路４０を経由して吸込凹部３６から洗浄水を吸込む。排水ポンプ４２は、吸込んだ洗浄水を第２排水流路４４に吐出する。第２排水流路４４に吐出された洗浄水は、外部排水流路４６から外部に排出される。
Ｓ４６における排水ポンプ４２の駆動時間である４０秒は、洗浄槽３０から洗浄水を全て排水するのに十分な時間として設定されている。洗浄槽３０から洗浄水が全て排水されると、排水ポンプ４２のインペラ４２ａは空気を吸込む。インペラ４２ａが空気を吸込んだ時点では、第２排水流路４４には、まだ洗浄水が残っている。このため、Ｕ字状に形成されているトラップ部４４ｂに排水が貯まる。トラップ部４４ｂに排水が貯まっていると、外部排水流路４６から洗浄槽３０内に不快な臭いが漏れてくることが防止される。
また、排水ポンプ４２が停止すると、エアー抜き経路４８を通って洗浄槽３０からエアー抜き部４４ａに空気が入り込む。エアー抜き部４４ａに空気が入り込むと、第２排水流路４４がサイホンとして機能することがない。このため、外部排水流路４６の水位が洗浄槽３０のそれより高くなっても、外部排水流路４６から第２排水流路４４に排水が逆流することが防止される。
Ｓ４６を行ってから、洗浄／すすぎ／乾燥処理Ｓ１０に戻る。
【００２２】
上述した洗浄処理Ｓ１２では、洗浄ポンプ３８を駆動し（Ｓ２４）、ヒータ３５をオンにし（Ｓ２６）、洗浄水温度が４５（℃）以上になってから温調時間Ｔ１が経過すると（Ｓ３２）、ヒータ３５をオフにする（Ｓ４２）とともに洗浄ポンプを停止（Ｓ４４）して洗浄を終了する。温調時間Ｔ１が経過するまでは、洗浄水温度は４５（℃）よりもさらに上昇して５５（℃）〜６０（℃）の間に維持される（Ｓ３４〜Ｓ４０）。食器１７を低温の洗浄水で洗浄するよりも、高温の洗浄水で洗浄する方が良く汚れが落ちる。このため、洗浄水が高温（４５（℃）以上、５５（℃）〜６０（℃））になってから、洗浄が終了するまでの時間として温調時間Ｔ１を設定し、洗浄が確実に行われるようにしている。
洗浄槽３０に給水される洗浄水（水道水）の温度は、季節によって変動する。また、外部給水流路５３に給湯器が接続され、温水が洗浄槽３０に給水されるようになっていることもある。このため、ヒータ３５がオンになってから、洗浄水温度が４５（℃）以上になるまでの時間は変化する。例えば、冬季には水道水の温度が低いので、洗浄水温度が４５（℃）以上になるまでの時間は長い。夏季には水道水の温度が高いので、洗浄水温度が４５（℃）以上になるまでの時間は短い。従って、洗浄ポンプ３８が駆動されてから停止するまでの時間は一定にならない。
【００２３】
図５の洗浄／すすぎ／乾燥処理Ｓ１０に示されているように、洗浄処理Ｓ１２に続いてすすぎ処理Ｓ５０が行われる。図８に示されているように、すすぎ処理Ｓ５０のＳ５２では、コースに対応したすすぎ回数Ｎを設定する。標準コースが選択されていた場合には、すすぎ回数Ｎとして３回を設定する。念入りコースが選択されていた場合には、すすぎ回数Ｎとして４回を設定する。快速コースが選択されていた場合には、すすぎ回数Ｎとして１回を設定する。
Ｓ５２に続くＳ５４を行うと、「ｎ」の値がゼロにされる。そして、次に実行するＳ５６では、「ｎ＝ｎ＋１」を演算する。
Ｓ５８では、コースに対応したすすぎ時間Ｔ２を設定する。標準コース、あるいは念入りコースが選択されていた場合には、すすぎ時間Ｔ２として１分を設定する。快速コースが選択されていた場合には、すすぎ時間Ｔ２として３０秒を設定する。
Ｓ５８の次のＳ６０を実行すると、給水弁５１が開く。給水弁５１が開くと、外部給水流路５３、第１給水流路５４、第２給水流路５２を経由して水道水（すすぎ水）が洗浄槽３０に給水される。Ｓ６２では、水位検出器５６がオンであるか否かを判別する。Ｓ６２で水位検出器５６がオンでないと判別した場合（ＮＯの場合）には、そのまま待機する。Ｓ６２で水位検出器５６がオンであると判別した場合（ＹＥＳの場合）には、Ｓ６４を実行する。
Ｓ６４を実行すると、給水弁５１が閉じられる。Ｓ６４の次のＳ６６を行うと、洗浄ポンプ３８が駆動する。洗浄ポンプ３８が駆動すると、ノズル３１からすすぎ水が噴出し、食器１７のすすぎが行われる。そして、Ｓ６８では、すすぎ時間Ｔ２が経過したか否かを判別する。Ｓ６８ですすぎ時間Ｔ２が経過していない判別した場合（ＮＯの場合）には、そのまま待機する。Ｓ６８ですすぎ時間Ｔ２が経過したと判別した場合（ＹＥＳの場合）には、Ｓ７０に移行する。Ｓ７０では、洗浄ポンプ３８を停止する。このように、本すすぎ処理Ｓ５０では、洗浄ポンプ３８が駆動してから、すすぎ時間Ｔ２が経過すると洗浄ポンプ３８が停止する。
続くＳ７２では、排水ポンプ４２を４０秒間駆動することにより、洗浄槽３０からすすぎ水を排水する。Ｓ７４では、「ｎ＝Ｎ」であるか否かを判別する。Ｓ７４で「ｎ＝Ｎ」でないと判別した場合（ＮＯの場合）には、Ｓ５６以降の処理を再び行う。Ｓ７４の判別が設けられていることにより、Ｓ５２で設定したすすぎ回数Ｎ分のすすぎが繰り返される。Ｓ７４で「ｎ＝Ｎ」であると判別した場合（ＹＥＳの場合）には、すすぎ処理Ｓ５０を終了して洗浄／すすぎ／乾燥処理Ｓ１０に戻る。
【００２４】
図５の洗浄／すすぎ／乾燥処理Ｓ１０に示されているように、すすぎ処理Ｓ５０に続いて、湯すすぎ処理Ｓ８０が行われる。図９に示されているように、湯すすぎ処理Ｓ８０のＳ８２では、コースに対応した湯すすぎ時間Ｔ３を設定する。標準コース、あるいは快速コースが選択されていた場合には、湯すすぎ時間Ｔ３として３０秒を設定する。念入りコースが選択されていた場合には、湯すすぎ時間Ｔ３として１分を設定する。
Ｓ８２の次のＳ８４を実行すると、給水弁５１が開き、洗浄槽３０にすすぎ水が給水される。そして、Ｓ８６では、水位検出器５６がオンであるか否かを判別する。Ｓ８６で水位検出器５６がオンでないと判別した場合（ＮＯの場合）には、そのまま待機する。Ｓ８６で水位検出器５６がオンであると判別した場合（ＹＥＳの場合）には、Ｓ８８に移行して給水弁５１を閉じる。
Ｓ８８に続くＳ９０を行うと、洗浄ポンプ３８が駆動する。洗浄ポンプ３８が駆動すると、すすぎが開始される。次に実行するＳ９２では、ヒータ３５をオンにする。ヒータ３５がオンになると、洗浄槽３０に入れられた洗浄水の温度が上昇する。Ｓ９４では、すすぎ水温度が７０（℃）以上であるか否かを判別する。Ｓ９４ですすぎ水温度が７０（℃）以上でないと判別した場合（ＮＯの場合）には、そのまま待機する。Ｓ９４ですすぎ水温度が７０（℃）以上であると判別した場合（ＹＥＳの場合）には、図１０に示されているＳ９６を行う。
【００２５】
Ｓ９６では、湯すすぎ時間Ｔ３が経過したか否かを判別する。Ｓ９６で湯すすぎ時間Ｔ３が経過していないと判別した場合（ＮＯの場合）には、Ｓ９８に移行する。Ｓ９８では、すすぎ水温度が６５（℃）未満であるか否かを判別する。Ｓ９８ですすぎ水温度が６５（℃）未満であると判別した場合（ＹＥＳの場合）には、Ｓ１００を行うことによりヒータ３５をオンにする。Ｓ１００を行ってから、Ｓ９６を再び実行する。Ｓ９８ですすぎ水温度が６５（℃）未満でないと判別した場合（ＮＯの場合）には、Ｓ１０２に移行する。
Ｓ１０２では、すすぎ水温度が７０（℃）以上であるか否かを判別する。Ｓ１０２ですすぎ水温度が７０（℃）以上であると判別した場合（ＹＥＳの場合）には、Ｓ１０４を行ってヒータ３５をオフにする。そして、Ｓ９６を再び行う。Ｓ１０２ですすぎ水温度が７０（℃）以上でないと判別した場合（ＮＯの場合）には、Ｓ９６を再び実行する。Ｓ９８〜Ｓ１０４の処理が設けられていることにより、すすぎ水温度は６５（℃）〜７０（℃）の間に維持される。
Ｓ９６で湯すすぎ時間Ｔ３が経過したと判別した場合（ＹＥＳの場合）には、Ｓ１０６を実行してヒータ３５をオフにする。Ｓ１０６の次にはＳ１０８を行い、洗浄ポンプ３８を停止する。Ｓ１０８に続いてＳ１１０を実行する。Ｓ１１０を実行すると、排水ポンプ４２が４０秒間駆動され、洗浄槽３０からすすぎ水を排水する。以上で湯すすぎ処理Ｓ８０は終了し、洗浄／すすぎ／乾燥処理Ｓ１０に戻る。
【００２６】
図５の洗浄／すすぎ／乾燥処理Ｓ１０に示されているように、湯すすぎ処理Ｓ８０に続いて、乾燥処理Ｓ１３０が行われる。図１１に示されているように、乾燥処理Ｓ１３０のＳ１３２では、コースに対応した乾燥時間Ｔ４を設定する。標準コースが選択されていた場合には、乾燥時間として３０分を設定する。念入りコースが選択されていた場合には、乾燥時間として４５分を設定する。快速コースが選択されていた場合には、乾燥時間として１５分を設定する。
Ｓ１３２に続いてＳ１３４を実行する。Ｓ１３４を実行すると、ヒータ３５がオンになる。ヒータ３５がオンになると、洗浄槽３０内の空気温度が高くなる。そして、Ｓ１３６では、乾燥ファン６０を駆動する。乾燥ファン６０が駆動すると、洗浄槽３０内に外部の空気が吹き込まれる。洗浄槽３０内に吹き込まれた空気は、排気口６２から外部に排気される。このように、洗浄槽３０内が高温になるとともに、洗浄槽３０に外部から空気が吹き込まれ、さらにその空気が外部に排気されることにより、食器１７の乾燥が行われる。
Ｓ１３６に続くＳ１３８では、乾燥ファン６０の駆動開始から乾燥時間Ｔ４が経過したか否かを判別する。Ｓ１３８で乾燥ファン６０の駆動開始から乾燥時間Ｔ４が経過していないと判別した場合（ＮＯの場合）には、Ｓ１４０に移行する。
【００２７】
Ｓ１４０では、洗浄槽３０内の温度が７０（℃）以上であるか否かを判別する。洗浄槽３０内の温度は、洗浄槽サーミスタ４３によって検出される。Ｓ１４０で洗浄槽３０内の温度が７０（℃）以上であると判別した場合（ＹＥＳの場合）には、Ｓ１４２に移行してヒータ３５をオフにする。そして、Ｓ１３８を再び実行する。Ｓ１４０で洗浄槽３０内の温度が７０（℃）以上でないと判別した場合（ＮＯの場合）には、Ｓ１４４を実行する。Ｓ１４４では、洗浄槽３０内の温度が６９（℃）未満であるか否かを判別する。Ｓ１４４で洗浄槽３０内の温度が６９（℃）未満であると判別した場合（ＹＥＳの場合）には、Ｓ１４６に移行してヒータ３５をオンにする。Ｓ１４６を行ってから、Ｓ１３８を再び実行する。Ｓ１４４で洗浄槽３０内の温度が６９（℃）未満でないと判別した場合（ＮＯの場合）には、Ｓ１３８を再び実行する。Ｓ１４０〜Ｓ１４６を行うことにより、洗浄槽３０内の空気温度は６９（℃）〜７０（℃）に維持される。
一方、Ｓ１３８で乾燥ファン６０の駆動開始から乾燥時間Ｔ４が経過したと判別した場合（ＹＥＳの場合）には、Ｓ１４８に移行する。Ｓ１４８では、ヒータ３５をオフにする。Ｓ１４８に続くＳ１５０では、乾燥ファン６０を停止する。Ｓ１５０の次に実行するＳ１５２では、選択されていたコースと、それまでの運転時間をコントローラ４１のＲＡＭに記憶する。運転時間とは、スタートボタン２１が押され（Ｓ１６）てから、乾燥ファン６０が停止する（Ｓ１５０）までの時間である。続いて、Ｓ１５４に移行して食器洗浄機１０の電源をオフにする。そして、乾燥処理Ｓ１３０を終了して、洗浄／すすぎ／乾燥処理Ｓ１０に戻る。
図５に示されているように、乾燥処理１３０が行われると、洗浄／すすぎ／乾燥処理Ｓ１０は終了する。
【００２８】
運転残り時間表示処理Ｓ２００について説明する。運転残り時間表示処理Ｓ２００は、洗浄／すすぎ／乾燥処理Ｓ１０と並行して実行される。
図１２に示されているように、運転残り時間表示処理Ｓ２００のＳ２０２では、スタートボタン２１が押されたか否かを判別する。Ｓ２０２でスタートボタン２１が押されていないと判別した場合（ＮＯの場合）には、そのまま待機する。Ｓ２０２でスタートボタン２１が押されたと判別した場合（ＹＥＳの場合）には、Ｓ２０４を実行する。
Ｓ２０４の処理を説明する前に、その処理で用いるコース別時間表について説明しておく。コース別時間表は、コントローラ４１のＲＯＭに格納されており、図１３に示されているように、系列毎に、コースと、それらのコースに対応した時間を記憶している。コースは、試運転コース、標準コース、念入りコース、快速コースである。系列は、系列１〜系列５の５つに分けられている。系列１は、洗浄槽３０に給水される洗浄水あるいはすすぎ水の温度が高い場合を想定している。系列５は、洗浄槽３０に給水される洗浄水あるいはすすぎ水の温度が低い場合を想定している。系列２、系列３、系列４は、系列１と系列５の間の温度の洗浄水あるいはすすぎ水が給水された場合を想定している。系列１のように、給水される洗浄水あるいはすすぎ水の温度が高くなるのは、水道水温度が高い夏季や、外部給水流路５４に給湯器が接続されている場合である。系列５のように、給水される洗浄水あるいはすすぎ水の温度が低くなるのは、水道水温度が低下する冬季である。洗浄槽３０に給水される洗浄水あるいはすすぎ水の温度が高いと、洗浄や湯すすぎで洗浄水やすすぎ水が所定の温度（洗浄では４５（℃）、湯すすぎでは７０（℃））に達するまでの時間が短くなる。逆に、給水される洗浄水あるいはすすぎ水の温度が低いと、洗浄や湯すすぎで洗浄水あるいはすすぎ水が所定の温度に達するまでの時間が長くなる。このため、系列１〜系列５の順に、標準コース、念入りコースの運転に要する時間は長く設定されている。例えば、系列１では、標準コースで食器洗浄機１０を運転した場合の運転時間は５０分であるが、系列５では、その運転時間は９０分である。なお、快速コースに対応して設定されている時間を、系列１〜系列５の順に長くなるようにすることもできる。標準コース、念入りコース、快速コースの時間比率は、洗浄時における温調時間Ｔ１と湯すすぎ時における湯すすぎ時間Ｔ３を考慮して設定されている。
試運転時間は、食器洗浄機１０を設置したときに、設置者がそのときの水道水温度を考慮して設定する。水道水温度を考慮して試運転時間を何分に設定するかは、設置者が参照する設置マニュアルに記載されている。例えば、冬季には、試運転時間として１８分を設定する。例えば、春季や秋季には、試運転時間として１４分を設定する。試運転時間の設定は、操作パネル１８に設けられているボタンを所定の順番や、所定の時間押し続けることによって行う。
【００２９】
コース別時間表を複数種類用意することもできる。この場合には、高温すすぎボタン２２が操作されて高温の湯すすぎが選択された場合や、乾燥ボタン２４が操作されて乾燥時間が変更された場合に応じて、異なるコース別時間表を使用する。
食器洗浄機１０を設置するときに、設置者が外部給水流路５３に水道水が直接給水されるのか、給湯器からの温水が給水されるのかの別を入力可能なように構成することもできる。そして、給湯器からの温水の温度範囲に応じたコース別時間表を使用して、運転残り時間を精度良く推定する。
食器洗浄機１０が設置された初回の運転では、洗浄槽３０に給水される水道水が標準的温度（例えば、２０（℃））である場合の運転時間から運転残り時間を推定してもよい。この場合には、初回運転時に表示される運転残り時間の精度は良くないが、次回からは前回運転時の運転時間に基づいて運転残り時間を推定することになる。このため、次回以降の運転残り時間を精度良く推定することができる。
【００３０】
Ｓ２０４では、前回運転時のコースおよび運転時間と、コース別時間表を照合し、系列を特定する。具体的には、前回運転時のコースに対応した、前回の運転時間に最も近い運転時間が記憶されている系列を特定する。前回運転時のコースおよび運転時間は、上述した乾燥処理Ｓ１３０のＳ１５２が実行されることにより、コントローラ４１のＲＡＭに記憶されている。例えば、前回運転時に選択されたのが標準コースであり、その運転時間が６８分であった場合には、コース別時間表の標準コースに対応して、６８分にもっとも近い７０分が記憶されている系列３を特定する。
Ｓ２０４に続くＳ２０６では、特定された系列に基づいて、コース別時間表から今回の運転時間を推定する。例えば、系列３が特定されており、今回の運転では念入りコースが選択されている場合には、コース別時間表の系列３の念入りコースに対応して記憶されている１００分が今回の運転時間であると推定する。
食器洗浄機１０の運転間隔は短く、１日に何回も運転されたり、毎日運転されたりする。食器洗浄機１０の運転間隔が短いと、前回運転時と今回運転時とで、洗浄槽３０に給水される洗浄水やすすぎ水の温度差は小さい。例えば、冬季において前回運転時に洗浄槽３０に給水された洗浄水やすすぎ水の温度が低ければ、今回運転時に給水される洗浄水やすすぎ水の温度も低く、かつ前回運転時とほとんど変わらない。前回運転時と今回運転時とで、洗浄水やすすぎ水の温度差が小さいと、前回運転時と今回運転時とで、洗浄や湯すすぎで洗浄水やすすぎ水が所定温度に達するまでの時間差も小さい。このため、Ｓ２０４の処理のように、前回のコースや運転時間を用いて特定した系列に基づいて、今回の運転時間を精度よく推定することが可能になる。
なお、Ｓ２０４において、前回運転時のコースおよび運転時間と、コース別時間表を照合して系列を特定する場合には、前回の運転時間に最も近い運転時間であることに加えて、前回の運転時間よりも長い運転時間が記憶されていることを条件に系列を特定するのが好ましい。例えば、前回運転時に選択されたのが標準コースであり、その運転時間が７２分であった場合には、コース別時間表の標準コースに対応して７０分が記憶されている系列３ではなく、８０分が記憶されている系列４を特定する。このようにすると、今回の運転時間を短目に推定してしまうのを防止することができる。
【００３１】
今回の運転時間は、図１３に示すようなコース別時間表を用いるのではなく、計算によって推定することもできる。例えば、標準コース、念入りコース、快速コースのそれぞれについて基準の時間を設定しておき、その基準時間と前回運転時間との時間差や比率から今回の運転時間を計算する。例えば、標準コースの基準時間が７０分に設定されており、念入りコースの基準時間が１００分に設定されているとする。前回運転時に選択されたのが標準コースであり、その運転時間が６０分であった場合には、基準時間７０分に対して１０分短い。そして、今回選択されたのが念入りコースであった場合には、その基準時間１００分から１０分を減じた９０分が今回の運転時間であると推定する。
【００３２】
図１４に示す運転残り時間換算表に記載されている換算式を用いて、今回の運転時間を推定することもできる。なお、図１４は、快速コースに代えて、洗剤なしコースが用意されている食器洗浄機１０のものである。洗剤なしコースとは、洗剤を使用せずに食器１７を洗浄するコースである。
図１４の運転残り時間換算表では、前回運転時の標準、念入り、洗剤なしの各コースに対応して、今回運転時の標準、念入り、洗剤なしの各コースの換算式が設定されている。
例えば、前回運転時に標準コースが選択され、その運転時間が６０（分）であったとする。今回運転時に念入りコースが選択されたとする。運転残り時間換算表では、前回運転時の標準コースに対応して、今回運転時の念入りコースに「＋３３（分）」が設定されている。よって、前回の運転時間６０（分）に３３分をプラスして、今回の運転時間が９３（分）であると推定する。
例えば、前回運転時に念入りコースが選択され、その運転時間が１００（分）であったとする。今回運転時に洗剤なしコースが選択されたとする。運転残り時間換算表では、前回運転時の念入りコースに対応して、今回運転時の洗剤なしコースには「×０．８１２−１１．１（分）」が設定されている。よって、今回の運転時間は次式から７０（分）と推定する。
今回運転時間＝１００×０．８１２−１１．１＝７０（分）；
【００３３】
Ｓ２０６に続くＳ２０８では、タイマーをスタートする。タイマーは、コントローラ４１に設けられている。Ｓ２０８は、Ｓ２０２においてスタートボタン２１が押されたと判別してから行われ。このため、タイマーはスタートボタン２１が押されてからの時間（タイマー時間）を計時することになる。
次にＳ２１０を実行すると、運転残り時間が時間表示部２７に表示される。運転残り時間とは、食器洗浄機１０の運転が終了するまでの時間であり、Ｓ２０６で推定した運転時間から、Ｓ２１０で計時したタイマー時間を減算することによって求められる。
Ｓ２１２では、食器洗浄機１０の運転が終了したか否かを判別する。Ｓ２１２で運転が終了していないと判別した場合（ＮＯの場合）には、Ｓ２１０を実行する。すなわち、運転が終了していない場合には、Ｓ２１０が繰り返し実行され、これによって運転の残り時間が減少しながら表示される。なお、時間表示部２７に表示される運転残り時間は、その時間が多い場合には大きな刻みで表示され、その時間が少ない場合には細かな刻みで表示されるのが好ましい。例えば、運転残り時間が９５分を超える場合には、運転残り時間が２時間であると表示する。運転残り時間が３０分を超え９５分以下の場合には、５分刻みで表示する。運転残り時間が１分を超え３０分以下の場合には、１分刻みで表示する。運転残り時間が１分以下の場合には、１秒刻みで表示する。このようにするが好ましいのは、運転残り時間が少なくなるほど（運転終了が近づくほど）、運転残り時間に対する使用者の関心が高くなるからである。
Ｓ２１２で運転が終了したと判別した場合（ＹＥＳの場合）には、Ｓ２１４を実行する。Ｓ２１４を実行すると、時間表示部２７で行われていた運転残り時間の表示がゼロになる。Ｓ２１４を実行することにより、食器洗浄機１０の運転終了とともに、運転残り時間の表示がゼロになる。そして、運転残り時間表示処理Ｓ２００を終了する。
【００３４】
洗浄／すすぎ／乾燥処理Ｓ１０の最後の処理である乾燥処理Ｓ１３０が開始される時点で、運転残り時間を乾燥時間Ｔ４に基づいて推定し直すこともできる。乾燥時間Ｔ４は水道水温度によらずに一義的に定まる。このため、乾燥時間Ｔ４に基づいて運転残り時間を推定し直すと、その推定精度をより高めることができる（運転残り時間が減少して行ってゼロになった時に、ピッタリと運転が終了する）。
この場合に、乾燥処理Ｓ１３０の開始時点で推定し直した運転残り時間がそれまで表示していた運転残り時間よりも短い場合には、推定し直した運転残り時間で表示を置き換える。例えば。推定し直した運転残り時間が３０分であり、表示していた運転残り時間が３３分であった場合には、３０分を表示する。乾燥処理Ｓ１３０の開始時点で推定し直した運転残り時間がそれまで表示していた運転残り時間よりも長い場合には、推定し直した運転残り時間になるまで、表示をそのままに維持する。例えば。推定し直した運転残り時間が３０分であり、表示していた運転残り時間が２８分であった場合には、推定し直した運転残り時間が２８分になるまで、２８分の表示を維持する。そして、運転残り時間が２８分以下になってから、表示時間を順次減少させる。
【００３５】
食器洗浄機１０に給水する水道水の圧力は、食器洗浄機１０が設置される部屋の高さ等によって高低がある。例えば、マンションの階数が高い部屋の水道水圧力は、階数が低い部屋のそれよりも低い。水道水圧力が高いと、洗浄槽３０に給水される水道水の単位時間当りの給水量が多くなる。逆に、水道水圧力が低いと、洗浄槽３０に給水される水道水の単位時間当りの給水量が少なくなる。このため、水道水圧力の高低によって、洗浄槽３０に給水が終了するまでの時間が変化する。給水が終了するまでの時間が変化すると、各運転コース終了までの時間（運転時間）もそれにともなって変化する。すなわち、運転時間には、水道水圧力の高低にともなう運転時間の変動要素が含まれている。
本食器洗浄機１０は、前回運転時の運転時間を用いて、運転残り時間を推定している。前回運転時の運転時間を用いると、水道水圧力の高低による運転時間の変動を補正する方向で運転残り時間を推定することができる。例えば、水道水圧力が高い場合には、給水時間が短くなることによって前回運転時間も短くなる。水道水圧力が高い傾向は、前回であろうと今回であろうと変わらない。前回運転時間が短いと、それを用いて運転残り時間を短目に推定することになり、その精度がより向上する。
【００３６】
（第２実施例）
本発明の第２実施例について、図面を参照しながら説明する。なお、第１実施例と重複する事項についてはそれを省略し、本第２実施例として特徴的な部分を主体に説明する。
図１５に示されている洗浄処理Ｓ３００は、第１実施例の洗浄処理Ｓ１２（図６、図７）に代わるものである。洗浄処理Ｓ３００のＳ３０２、Ｓ３０４は、それぞれ洗浄処理Ｓ１２のＳ１４、Ｓ１６と同内容なので、説明は省略する。Ｓ３０６が実行されると、洗浄処理Ｓ１２のＳ１８と同様に給水弁５１が開かれ、洗浄槽３０への給水が行われる。また、Ｓ３０６の実行と同時に、コントローラ４１は計時を開始する。Ｓ３０６に続くＳ３０８は、Ｓ１２のＳ２０と同内容なので、説明は省略する。
Ｓ３１０が実行されると、洗浄処理Ｓ１２のＳ２２と同様に給水弁５１が閉じられる。給水弁５１が閉じられるのと同時に、コントローラ４１は計時を終了する。
Ｓ３１０に続くＳ３１２では、コントローラ４１が計時した時間（すなわち、給水弁５１が開かれてから閉じられるまでの時間）を、給水時間「ｋ０」としてコントローラ４１のＲＡＭに記憶する。
Ｓ３１４、Ｓ３１６、Ｓ３１８については、それぞれ洗浄処置Ｓ１２のＳ２４、Ｓ２６、Ｓ２８と同内容なので説明は省略する。
【００３７】
図１６に示されているように、Ｓ３２０では、３分が経過したか否かを判別する。Ｓ３２０は、Ｓ３１８で洗浄水温度が４５（℃）以上であると判別した場合（ＹＥＳと判別した場合）に行われる。このため、Ｓ３２０で３分が経過したか否かの判別は、洗浄水温度が４５（℃）以上になった時点から開始される。Ｓ３２０で３分が経過していないと判別した場合（ＮＯの場合）には、Ｓ３２２を行う。
Ｓ３２２〜Ｓ３２８の処理は、洗浄処理Ｓ１２（第１実施例）のＳ３４〜Ｓ４０と同内容なので、これ以上の説明は省略する。
Ｓ３２２〜Ｓ３２８の処理が設けられていることにより、洗浄水温度が５５（℃）〜６０（℃）の間に維持される。
【００３８】
一方、Ｓ３２０で３分が経過したと判別した場合（ＹＥＳの場合）には、Ｓ３３０に移行してヒータ３５をオフにするとともに、続くＳ３３２で洗浄ポンプ３８を停止する。すなわち、Ｓ３１８で洗浄水温度が４５（℃）以上であると判別してから３分が経過すると、ヒータ３５がオフになり、洗浄ポンプ３８が停止することにより、食器１７の洗浄が一旦中断される。
Ｓ３３２の次には、泡対応処理Ｓ３５０を実行する。
【００３９】
図１７に示すように、泡対応処理Ｓ３５０の最初の処理Ｓ３５２では、洗浄ポンプ３８が停止してから１０秒が経過したか否かを判別する。Ｓ３５２で洗浄ポンプ３８が停止してから１０秒が経過していないと判別した場合（ＮＯの場合）には、そのまま待機する。Ｓ３５２で洗浄ポンプ３８が停止してから１０秒が経過したと判別した場合（ＹＥＳの場合）には、Ｓ３５４を実行する。
洗浄ポンプ５９が作動して洗浄槽３０で食器１７が洗浄されたときに、食器洗浄機用の専用洗剤以外の洗剤（例えば、台所用中性洗剤）が誤って投入された場合には、洗浄槽３０内で泡が大量に発生する。洗浄槽３０内で泡が発生すると、洗浄水が泡に変わった分だけ洗浄水の水位が低下する。洗浄槽３０の水位が低下すると、洗浄槽３０と連通している水位検出器５６の水位室５６ａの水位も低くなる。Ｓ３５２が設けられていると、洗浄ポンプ３８が停止してから１０秒間は、Ｓ３５４が実行されない。この１０秒の間に、洗浄槽３０の内壁や食器１７に付いた洗浄水が滴下するとともに波立っていた水面が静まり、洗浄水水位が安定する。
【００４０】
Ｓ３５４を実行すると、給水弁５１が開かれ、水道水が洗浄槽３０に給水される（この給水を、以下「補水」と言う）。Ｓ３５４の実行と同時に、コントローラ４１は計時を開始する。
Ｓ３５４に続くＳ３５６では、水位検出器５６がオンであるか否かを判別する。Ｓ３５６で水位検出器５６がオンでないと判別した場合（ＮＯの場合）には、そのまま待機する。Ｓ３５６で水位検出器５６がオンであると判別した場合（ＹＥＳの場合）には、Ｓ３５８に移行する。
Ｓ３５８では、給水弁５１が閉じられ、洗浄槽３０への補水が終了する。給水弁５１が閉じられるのと同時に、コントローラ４１は計時を終了する。
Ｓ３５８に続くＳ３６０では、コントローラ４１が計時した時間を補水時間「ｈ０」としてコントローラ４１のＲＡＭに記憶する。泡が発生した場合には、洗浄槽３０の水位は、洗浄処理Ｓ３００のＳ３１０で給水弁５１が閉じられて給水が終了したときよりも低下している。泡が水位検出器５６の水位室５６ａに入り込んでも、水位室５６ａ内に配置されているフロート５６ｂは、泡に沈み込んだ状態で洗浄水に浮き、洗浄水の水位を正確に検知する。従って、補水時間ｈ０は、泡発生量に比例して長くなる。
【００４１】
Ｓ３６２では、「補水時間ｈ０／給水時間ｋ０」を演算する。そして、Ｓ３６４では、「補水時間ｈ０／給水時間ｋ＜０．１」であるか否かを判別する。Ｓ３６４で「補水時間ｈ０／給水時間ｋ＜０．１」でないと判別した場合（ＮＯの場合）には、泡が多く発生していると考えられる。そこで、Ｓ３６６に移行して消泡運転を行う。消泡運転では、洗浄槽３０からの排水と、洗浄槽３０への給水が所定サイクル繰り返され、消泡が行われる。そして、泡対応処理Ｓ３５０を終了する。Ｓ３６４で「補水時間ｈ０／給水時間ｋ＜０．１」であると判別した場合（ＹＥＳの場合）には、泡の発生量が少ないと考えられるので、Ｓ３６６（消泡運転）をスキップして、そのまま泡対応処理Ｓ３５０を終了する。
図１６、図１８に示されている泡対応処理Ｓ３５０以降に実行されるＳ３８０〜Ｓ４０８の処理は、洗浄処理１２（第１実施例）のＳ１８〜Ｓ４６の処理と同じなので、これ以上の説明は省略する。
【００４２】
運転残り時間表示処理Ｓ４５０について説明する。運転残り時間表示処理Ｓ４５０は、洗浄処理Ｓ３００、すすぎ処理Ｓ５０、湯すすぎ処理Ｓ８０、乾燥処理Ｓ１３０と並行して実行される。
図１９に示すように、運転残り時間表示処理Ｓ４５０のＳ４５２では、スタートボタン２１が押されたか否かを判別する。Ｓ４５２でスタートボタン２１が押されていないと判別した場合（ＮＯの場合）には、そのまま待機する。Ｓ４５２でスタートボタン２１が押されたと判別した場合（ＹＥＳの場合）には、Ｓ４５４に移行する。
Ｓ４５４では、前回の運転で消泡運転が行われているか否かを判別する。Ｓ４５４で前回の運転で消泡運転が行われていると判別した場合（ＹＥＳの場合）には、Ｓ４５８を行う。
Ｓ４５８では、前々回運転時のコースおよび運転時間と、コース別時間表を照合し、系列を特定する。
Ｓ４５８に続くＳ４６０では、特定された系列に基づいて、コース別時間表から今回の運転時間を推定する。
【００４３】
前回運転時に泡対応処理Ｓ３５０が処理されることによって消泡運転が行われていた場合には、消泡運転の時間分だけ洗浄時間が長くなっている。食器洗浄機専用洗剤以外の洗剤が間違って投入されるのは希であり、連続して間違った洗剤が投入される可能性は少ないと考えられる。このため、前回の運転で消泡運転が行われていた場合には、前回運転時のコースおよび運転時間を用いるのではなく、前々回運転時のそれをコース別時間表と照合して系列を特定し、その特定された系列から今回の運転時間を推定する。従って、前回運転時に消泡運転が行われていても、今回の運転時間を精度良く推定することができる。なお、前回の運転で消泡運転が行われていた場合には、前々回運転時ではなく、所定運転回数前の運転時のコースおよび運転時間をコース別時間表と照合して系列を特定し、その特定された系列から今回の運転時間を推定することもできる。
一方、Ｓ４５４で前回の運転で消泡運転が行われていないと判別した場合（ＮＯの場合）には、Ｓ４５６を行う。Ｓ４５６では、前回運転時のコースおよび運転時間と、コース別時間表を照合し、系列を特定する。すなわち、前回の運転で消泡運転が行われていない場合には、消泡運転によって洗浄時間が通常よりも長くなっていないので、前回運転時のコースおよび運転時間と、コース別時間表を照合し、系列を特定することによって、今回の運転時間を精度良く推定することができる。Ｓ４５６を行ってから、Ｓ４６０に移行する。
引き続くＳ４６２〜Ｓ４６８の処理は、運転残り時間表示処理Ｓ２００（第１実施例）のＳ２０８〜Ｓ２１４の処理と同様なので、これ以上の説明は省略する。
【００４４】
コントローラ４１に前々回以前の運転時の運転時間と消泡運転の有無を記憶しておき、前回運転時に消泡運転が行われていた場合には、消泡運転が行われていない直近の前々回以前運転時の運転時間を用いて、今回の運転残り時間を表示することもできる。
食器洗浄機１０の運転毎に消泡運転が行われる場合には、使用者が専用洗剤以外の洗剤を投入していることを認識していない可能性がある。このような場合には、前回運転時に消泡運転が行われたときに、前々回運転時のコースおよび運転時間を用いて今回の運転時間を推定しても、その前々回運転時に消泡運転が行われているのであるから、今回運転時の運転時間を精度良く推定することができない。従って、食器洗浄機１０の所定回数以上の運転に亘って消泡運転が行われた場合には、予め設定しておいた所定運転時間から運転残り時間を推定することが望ましい。この所定運転時間は、例えば、標準的な運転時間に消泡運転時間を加えた値として設定する。
【００４５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００４６】
【図１】第１実施例に係る食器洗浄機の斜視図。
【図２】第１実施例に係る食器洗浄機の本体から洗浄槽が引き出された状態の斜視図。
【図３】第１実施例に係る食器洗浄機の模式的側面図。
【図４】第１実施例に係る食器洗浄機の操作パネルの説明図。
【図５】第１実施例に係る洗浄／すすぎ／乾燥処理のフローチャート。
【図６】第１実施例に係る洗浄処理のフローチャート（前半部分）。
【図７】第１実施例に係る洗浄処理のフローチャート（後半部分）。
【図８】第１実施例に係るすすぎ処理のフローチャート。
【図９】第１実施例に係る湯すすぎ処理のフローチャート（前半部分）。
【図１０】第１実施例に係る湯すすぎ処理のフローチャート（後半部分）。
【図１１】第１実施例に係る乾燥処理のフローチャート。
【図１２】第１実施例に係る運転残り時間表示処理のフローチャート。
【図１３】第１実施例に係るコース別時間表。
【図１４】第１実施例に係る運転残り時間換算表。
【図１５】第２実施例に係る洗浄処理のフローチャート（前段部分）。
【図１６】第２実施例に係る洗浄処理のフローチャート（中段部分）。
【図１７】第２実施例に係る泡対応処理のフローチャート。
【図１８】第２実施例に係る洗浄処理のフローチャート（後段部分）。
【図１９】第２実施例に係る運転残り時間表示処理のフローチャート。
【符号の説明】
【００４７】
１０：食器洗浄機
１２：本体、１２ａ：後方壁
１４：扉
１５：取っ手
１６：ロックレバー
１７：食器
１８：操作パネル
２０：電源ボタン
２１：スタートボタン
２２：高温すすぎボタン
２３：コースランプ部、２３ａ：標準ランプ、２３ｂ：快速ランプ、２３ｃ：念入りランプ、２３ｄ：予洗いランプ、２３ｅ：乾燥ランプ
２４：乾燥ボタン
２５：予約ボタン
２６：予約ランプ
２７：時間表示部
２８：コースボタン
２９：残り時間ランプ
３０：洗浄槽、３０ａ：後方壁、３０ｂ：底面、３０ｃ：前方壁
３１：回転ノズル、３１ａ：噴出孔
３２：残菜フィルタ、３２ａ：タブ
３３：ヒータカバー
３４：食器カゴ
３５：ヒータ
３６：吸込凹部
３７：吸込流路
３８：洗浄ポンプ、３８ａ：インペラ、３８ｂ：モータ、３８ｃ：吸込口、３８ｄ：吐出口
３９：吐出流路
４０：第１排水流路
４１：コントローラ
４２：排水ポンプ、４２ａ：インペラ、４２ｂ：モータ、４２ｃ：吸込口、４２ｄ：吐出口
４３：洗浄槽サーミスタ
４４：第２排水流路、４４ａ：エアー抜き部、４４ｂ：トラップ部、４４ｃ：ホース部
４６：外部排水流路
４８：エアー抜き経路
５０：排水逆止弁
５１：給水弁、５１ａ：ソレノイド、５１ｂ：ポペット、５１ｃ：出口、５１ｄ：入口
５２：第２給水流路
５３：外部給水流路
５４：第１給水流路
５６：水位検出器、５６ａ：水位室、５６ｂ：フロート、５６ｃ：バー、５６ｄ：スイッチ
５８：水位流路
６０：乾燥ファン、６０ａ：モータ、６０ｂ：ファン
６１：乾燥経路、６１ａ：一端、６１ｂ：他端
６３：シール蓋
６５：小物食器カゴ
【図１】
2005095568.tif 000003
【図２】
2005095568.tif 000004
【図３】
2005095568.tif 000005
【図４】
2005095568.tif 000006
【図５】
2005095568.tif 000007
【図６】
2005095568.tif 000008
【図７】
2005095568.tif 000009
【図８】
2005095568.tif 000010
【図９】
2005095568.tif 000011
【図１０】
2005095568.tif 000012
【図１１】
2005095568.tif 000013
【図１２】
2005095568.tif 000014
【図１３】
2005095568.tif 000015
【図１４】
2005095568.tif 000016
【図１５】
2005095568.tif 000017
【図１６】
2005095568.tif 000018
【図１７】
2005095568.tif 000019
【図１８】
2005095568.tif 000020
【図１９】
2005095568.tif 000021